(57)【要約】      （修正有）【課題】ワイドチャンネル無線通信のための帯域幅通知及びチャンネル通知を行う方法及び装置を提供する。【解決手段】ＭＤ（携帯デバイス）がメッセージを受信すると、ＭＤは次の通信で使用される割り当てられたチャンネルのリストを記録する１１１５。ＮＣ（ネットワークコントローラ）への送信準備ができると、ＭＤは送信を構成し１１２０、ＭＤが割り当てられたチャンネルのうちからこの送信に使用するチャンネルを選択する１１２５。この送信に含めるべき要素についてビットマップを生成し、送信に選択されたチャンネルを示す１１３０。ビットマップは送信のプリアンブル部におけるＳＩＧフィールドに位置する。ＭＤは、ＮＣにメッセージを送信し１１３５、ＮＣがこのメッセージを受信する１１４０。【選択図】図１１
2015181273.tif 000002
【特許請求の範囲】
【請求項１】
プロセッサ、メモリ、及び少なくとも１つの受信機と少なくとも１つの送信機とを含む無線機を有する第１無線通信デバイスを備え、
前記第１無線通信デバイスは、
前記少なくとも１つの受信機を介して、第２無線通信デバイスから、前記第１無線通信デバイスが次の送信で使用可能な割り当てられた複数のチャンネルを規定する情報を含む第１通信を受信し、
前記割り当てられた複数のチャンネルのから、第１送信のために、特定の複数のチャンネルを選択し、
選択された複数のチャンネルをビットマップで示し、
前記少なくとも１つの送信機を介して、前記第１送信で前記ビットマップを送信する装置。
【請求項２】
前記第１送信のプリアンブル部分を、前記割り当てられた複数のチャンネルの全てで送信し、前記第１送信の本体は、前記選択された複数のチャンネルでのみ送信する請求項１に記載の装置。
【請求項３】
前記選択された複数のチャンネルは、連続した複数のチャンネルであって、前記ビットマップは、前記選択されたチャンネルの数を示す請求項１に記載の装置。
【請求項４】
前記ビットマップは、前記割り当てられた複数のチャンネルのそれぞれと関連付けられた別個のビットを有し、前記ビットのそれぞれのステートは、関連付けられた前記割り当てられたチャンネルが、選択されたチャンネルであるかを示す請求項１に記載の装置。
【請求項５】
前記ビットマップにおける複数ビットの集合からなる組み合わせのそれぞれは、選択された複数のチャンネルの予め定められた組み合わせを示す請求項１に記載の装置。
【請求項６】
前記ビットマップは、前記第１送信のプリアンブル部分に含まれる請求項１に記載の装置。
【請求項７】
前記情報は、前記第１通信における情報要素に含まれる請求項１に記載の装置。
【請求項８】
前記情報要素は、規格クラスを規定する少なくとも１つのフィールドを含む請求項７に記載の装置。
【請求項９】
前記情報要素は、チャンネル番号をそれぞれ規定する複数のチャンネル番号フィールド、及び規格クラスをそれぞれ規定する複数の規格クラスフィールドを含み、前記複数の規格クラスフィールドの各々は、特定の１つのチャンネル番号フィールドと関連付けられている請求項７に記載の装置。
【請求項１０】
第１無線通信デバイスにより、第２無線通信デバイスから、次の送信において前記第１無線通信デバイスが使用可能な割り当てられた複数のチャンネルを規定する情報を含む第１通信を受信する段階と、
前記割り当てられた複数のチャンネルから、第１送信のために、特定の複数のチャンネルを選択する段階と、
選択された複数のチャンネルを、ビットマップで示す段階と、
前記第１送信で前記ビットマップを送信する段階とを備える方法。
【請求項１１】
前記情報は、前記第１通信における情報要素に含まれる請求項１０に記載の方法。
【請求項１２】
前記情報要素は、チャンネル番号をそれぞれ規定する複数のチャンネル番号フィールド、及び規格クラスをそれぞれ規定する複数の規格クラスフィールドを含み、前記複数の規格クラスフィールドの各々は、特定の１つのチャンネル番号フィールドと関連付けられている請求項１１に記載の方法。
【請求項１３】
前記第１送信のプリアンブル部分は、前記割り当てられた複数のチャンネルの全てで送信され、前記第１送信の本体は、前記割り当てられた複数のチャンネルのうちの前記特定の複数のチャンネルでのみ送信される請求項１０に記載の方法。
【請求項１４】
前記選択された複数のチャンネルは、連続した複数のチャンネルであって、前記ビットマップは、前記選択されたチャンネルの数を示す請求項１０に記載の方法。
【請求項１５】
前記ビットマップは、前記割り当てられた複数のチャンネルのそれぞれと関連付けられた別個のビットを有し、前記ビットのそれぞれのステートは、関連付けられた前記割り当てられたチャンネルが、前記選択されたチャンネルであるかを示す請求項１０に記載の方法。
【請求項１６】
前記ビットマップにおける複数ビットの集合からなる組み合わせのそれぞれは、前記選択された複数のチャンネルの予め定められた組み合わせを示す請求項１０に記載の方法。
【請求項１７】
前記ビットマップは、前記第１送信のプリアンブル部分に含まれる請求項１０に記載の方法。
【請求項１８】
命令を含む有形のコンピュータ可読記憶媒体を備える物品であって、前記命令が１以上のプロセッサによって実行された場合に、
第１無線通信デバイスにより、第２無線通信デバイスから、次の送信において前記第１無線通信デバイスが使用可能な割り当てられた複数のチャンネルを規定する情報を含む第１通信を受信し、
前記割り当てられた複数のチャンネルから、第１送信のために、特定の複数のチャンネルを選択し、
選択された複数のチャンネルを、ビットマップで示し、及び
前記第１送信で前記ビットマップを送信するオペレーションが実行される物品。
【請求項１９】
前記情報は、前記第１通信における情報要素に含まれる請求項１８に記載の物品。
【請求項２０】
前記情報要素は、規格クラスを規定する少なくとも１つのフィールドを含む請求項１９に記載の物品。
【請求項２１】
前記情報要素は、チャンネル番号をそれぞれ規定する複数のチャンネル番号フィールド、及び規格クラスをそれぞれ規定する複数の規格クラスフィールドを含み、前記複数の規格クラスフィールドの各々は、特定の１つのチャンネル番号フィールドと関連付けられている請求項１９に記載の物品。
【請求項２２】
前記選択された複数のチャンネルは、連続した複数のチャンネルであって、前記ビットマップは、前記選択されたチャンネルの数を示す請求項１８に記載の物品。
【請求項２３】
前記ビットマップは、前記割り当てられた複数のチャンネルのそれぞれと関連付けられた別個のビットを有し、前記ビットのそれぞれのステートは、関連付けられた前記割り当てられたチャンネルが、前記選択されたチャンネルであるかを示す請求項１８に記載の物品。
【請求項２４】
前記ビットマップにおける複数ビットの集合からなる組み合わせのそれぞれは、前記選択された複数のチャンネルの予め定められた組み合わせを示す請求項１８に記載の物品。
【請求項２５】
前記第１送信を送信するオペレーションは、前記ビットマップを前記第１送信のプリアンブル部分で送信する段階を含む請求項１８に記載の物品。
【発明の詳細な説明】
【背景技術】
【０００１】
従来のネットワークでは、デバイスは、互いに複数のチャンネル上で通信を行い、複数のチャンネルそれぞれが、規定されたチャンネル幅を有する。例えば、ある規格では、一連の複数のチャンネルが規定されており、それぞれ次に隣接するチャンネルから２０ＭＨｚの間隔で中心周波数を有する。各チャンネルの規定帯域幅は、およそ２０ＭＨｚであり、デバイス間の無線通信に利用可能である。後の規格で規定されたチャンネル帯域幅は、４０ＭＨｚとなっている。後方互換性を保つために、４０ＭＨｚのチャンネル幅はそれぞれ、２つの隣接する２０ＭＨｚを組み合わせて構成されている。２０ＭＨｚプライマリチャンネル及び次に（又は前に）隣接するチャンネルを示すだけでよい場合に、４０ＭＨｚを割り当てるというのは、ネットワーク管理者にとっては比較的簡単なことである。しかしながら、最近の提案では、チャンネル帯域を拡張して、８０ＭＨｚ、１６０ＭＨｚ又は４０ＭＨｚよりも大きい２０ＭＨｚの倍数のその他のチャンネル幅を提供しようとしている。また、指示される複数の２０ＭＨｚのチャンネルの中には、他の２０ＭＨｚのチャンネルと隣接していない場合も存在する。このシナリオの場合、従来の２０ＭＨｚのチャンネルを複数割り当てて、４０ＭＨｚよりも大きいチャンネル帯域を達成するという方法は、適切でない。
【０００２】
本発明の実施形態は、以下の詳細な説明、及び本発明の実施形態を描いた添付の図面を参照することにより理解されるであろう。
【図面の簡単な説明】
【０００３】
【図１】本発明の一実施形態に係る無線ネットワークを示す図である。
【図２】本発明の一実施形態に係る、何れのナローチャンネルを組み合わせてワイドチャンネルを構成するかを示す情報要素（ＩＥ）を示した図である。
【図３】本発明の一実施形態に係る送信の一部を示した図である。
【図４】本発明の他の実施形態に係る送信の一部を示した図である。
【図５Ａ】本発明の一実施形態に係る、割り当てられたナローチャンネルのうちの何れを、現在の送信に使用すべきかを示すビットマップのフォーマットを示した図である。
【図５Ｂ】本発明の一実施形態に係る、割り当てられたナローチャンネルのうちの何れを、現在の送信に使用すべきかを示すビットマップのフォーマットを示した図である。
【図６】本発明の一実施形態に係る、割り当てられた複数のナローチャンネルのうちの何れを、現在の送信に使用すべきかを示すビットマップのフォーマットの別の例を示した図である。
【図７】本発明の一実施形態に係る、図６に示したビットマップの変形型を示した図である。
【図８】本発明の一実施形態に係る、現在の送信において何れのチャンネルを使用すべきかを示すビットマップの別のフォーマットを示した図である。
【図９】本発明の一実施形態に係る、図８のビットマップをより詳細に示した図である。
【図１０】本発明の一実施形態に係る、現在の送信において何れのチャンネルを使用すべきかを示すビットマップの別のフォーマットを示した図である。
【図１１】本発明の一実施形態に係る、次の通信のためのチャンネル割り当て及び選択を行う方法を示したフローチャートである。
【発明を実施するための形態】
【０００４】
以下の説明では、数多くの詳細事項が記載される。しかしながら、これらの詳細事項がなくとも、本発明の実施形態を実施可能であることは明らかである。また、また、本明細書の記載の理解を不明瞭にしない目的から、周知の回路、構造及び技術の詳細な説明を省略している。
【０００５】
また、"一実施形態"、"ある実施形態"、"例示的実施形態"、"様々な実施形態"等の言葉は、少なくとも本発明の実施形態が、実施形態に関連した特定の特徴、構造又は特性を含むことを示唆するが、必ずしも全ての実施形態が、これら特定の特徴、構造及び特性を含むことを意味しない。また、ある実施形態は、他の実施形態で記載された特徴の全てを有していてもよいし、全く有していなくてもよい。
【０００６】
以下に記載の説明及び特許請求の範囲において、"連結（ｃｏｕｐｌｅｄ）"及び"接続（ｃｏｎｎｅｃｔｅｄ）"という言葉、並びにこれらの派生語が使用されることがある。この２つの言葉は、同義語として使用されているのではない。特定の実施形態において、"接続"は、２つ又は２つ以上の要素が物理的に又は電気的に直接互いに接触していることを指すのに使用されている。一方、"連結"は、２つ以上の要素が、互いに協動又は相互作用していることを指すのに使用され、これら２つ以上の要素の間に物理的又は電気的要素が介在している場合も介在していない場合も含む。
【０００７】
また、特許請求の範囲において、共通の要素に使用される序数詞"第１の"、"第２の"、"第３の"等は、特に記載がない限り、単に同類の要素の異なる例を示しているに過ぎず、当該要素の時間的な若しくは空間的な順序、又は序列等における順番を示しているわけではない。
【０００８】
本発明の様々な実施形態が、ハードウェア、ファームウェア、ソフトウェア、及びこれらの組み合わせにより実装可能である。  また、本発明は、コンピュータ可読媒体に含まれる命令として実装可能であり、当該命令は、明細書に記載のオペレーションを実行可能にする一つ以上のプロセッサによって、読み出され、実行される。コンピュータ可読メディアとしては、１つ以上のコンピュータが可読な形式で情報を蓄積するあらゆる装置が含まれる。そのようなコンピュータ可読媒体としては、これらに限定されないが、例えば、リード・オンリー・メモリ（ＲＯＭ）、ランダム・アクセス・メモリ（ＲＡＭ）、磁気ディスク記憶媒体、光学式記憶媒体、フラッシュメモリ装置等の有形の記憶媒体が含まれる。
【０００９】
"無線（ｗｉｒｅｌｅｓｓ）"という言葉は、非固体媒体を通して変調電磁放射を利用することによりデータ通信を行う回路、デバイス、システム、方法、手法、通信チャンネル等を表現するのに使用されている場合がある。この"無線"という言葉は、関連するデバイスが、電線を含んでいないということを暗に意味しているわけではない。無論、ある実施形態では、有していない場合もある。無線デバイスは、少なくとも１つのアンテナ、少なくとも１つの無線機、少なくとも１つのメモリ及び少なくとも１つのプロセッサを含んで構成されていてもよく、無線機は、データを表す信号をアンテナを通じて送信し、データを表す信号をアンテナを通じて受信する一方、プロセッサは、送信すべきデータ及び受信されたデータを処理してもよい。また、プロセッサは、送信又は受信されない他のデータを処理してもよい。
【００１０】
本明細書で使用されている"ネットワークコントローラ"（ＮＣ）という言葉は、ネットワークにおける他のデバイスにより行われる無線通信を少なくとも一部、スケジュールする及び制御するデバイスを含むことを意図している。ネットワークコントローラは、また、基地局（ＢＳ）、アクセスポイント（ＡＰ）、中央ポイント（ＣＰ）、又はネットワークコントローラの機能を表現するのに必要なその他の用語としても、表現される。
【００１１】
また、本明細書で使用されている"携帯デバイス"（ＭＤ）という言葉は、ネットワークコントローラにより無線通信の一部が少なくともスケジュールされる及び制御されるデバイスを含むことを意図している。携帯デバイスは、モバイルノード、ＳＴＡ、加入者局（ＳＳ）、ユーザー機器（ＵＥ）、又は携帯デバイスの機能を表現するのに必要なその他の用語としても、表現される。携帯デバイスは、多くの場合、通信を行っている間に移動するものであるが、必ず移動が必要であるということではない。
【００１２】
また、本明細書で使用されている"ナロー（ｎａｒｒｏｗ：狭い）"チャンネルという言葉は、周波数スペクトルにおいて、予め規定された帯域を有したチャンネルでの無線通信を意味しており、反対に、"ワイド（ｗｉｄｅ：広い）"チャンネルという言葉は、これら複数のナローチャンネルの幾つかによって占有される周波数スペクトル部分の組み合わせを有するチャンネルを意味する。幾つかの実施形態では、これら複数のナローチャンネルは、必ずしも隣接している必要はない。すなわち、ワイドチャンネルに含まれる２つのナローチャンネルは、そのワイドチャンネルに含まれていない１以上のナローチャンネルによって互いに分離されていてもよい。説明を簡単にするため、以下の説明で頻出するナローチャンネルは、基本的には、２０ＭＨｚの帯域を有するものとして記載されており、ワイドチャンネルは、基本的には、２０ＭＨｚを整数倍した帯域を有するものとして記載されているが、別の実施形態では、２０ＭＨｚ以外の帯域を有するナローチャンネルを使用してもよい。また、本明細書で使用されている、"利用可能な"チャンネルとは、ネットワーク内で使用が許可されているチャンネルを意味する。許可されるチャンネルは、工業規格によって規定され、例えば、ネットワークにおける複数のデバイスによって集合的に使用するために、ネットワークコントローラによって定められる。本明細書で使用されている"割り当てられた"チャンネルという言葉は、特定の携帯デバイス（ＭＤ）が使用するためにネットワークコントローラ（ＮＣ）が規定した利用可能なチャンネルを意味し、ＮＣにより時折、変更されてもよい。
【００１３】
複数のナローチャンネルを組み合わせてワイドチャンネルを規定可能な無線通信ネットワークにおいて、本発明の様々な実施形態は、ＮＣが、次のワイドチャンネル通信でＭＤが使用すべき複数のナローチャンネルをＭＤに示すことを可能にする。また、示したチャンネルのうち何れが次の通信において実際に使用されているかを特定する方法も実現する。
【００１４】
図１は、本発明の一実施形態に係る無線ネットワークを示している。ネットワーク１００において、ネットワークコントローラ（ＮＣ）１１０が、それぞれアンテナ１１５及び１２５を通じて、無線で携帯デバイス１２０と通信を行っている様子が示されている。図示されているアンテナ１１５及び１２５は、使用されている技術に応じて、それぞれ単一のアンテナ又は複数のアンテナであってもよい。ネットワーク１００には、１つの携帯デバイス（ＭＤ）１２５のみが示されているが、典型的なネットワークは、特定の期間の間にＮＣと通信する複数のＭＤを有する。
【００１５】
図２は、本発明の一実施形態に係る、何れのナローチャンネルが組み合わせてワイドチャンネルを構成するかを示す情報要素（ＩＥ）を示した図である。ＩＥＥＥ８０２．１１の類の様々な規格では、情報要素は、データストリームにおいて新しい情報が提供される柔軟な方法として使用されており、新たな種類の情報が組み込まれる度に基本的な通信プロトコルを書き換える必要がない。幾つかの実施形態において、ＩＥは、ＭＡＣフレーム本体に位置するが、他の実施形態では、別の場所に位置させてもよい。この特定のＩＥは、ＮＣからＭＤへのより大きな送信に含めることもでき、次のワイドチャンネル通信でＭＤが使用すべき複数のナローチャンネルをＭＤに示す。図２は、ＩＥにおける複数のフィールドの特定の配列を示しているが、他の配列を使用してもよい。幾つかの実施形態では、ＭＤは、次のワイドチャンネル通信において、示された複数のナローチャンネルのうちの全てを使用するか、又はその一部を使用するか選択してもよい。
【００１６】
ＩＥは、ＩＥが何れの種類であるかを示す（この例の場合、ワイドチャンネルにおいて何れのナローチャンネルを使用するかを示すＩＥ）標準的なエレメント（Ｅｌｅｍｅｎｔ）ＩＤフィールドから始まり、次に続くビットストリームのどれだけの長さの部分がＩＥ部分であるかを示す長さフィールドが続く。そして、非プライマリチャンネルが幾つ、このＩＥによって指示されるかが、次のフィールドで示される（図２では、３つ指示されている）。プライマリチャンネルとは、他のナローチャンネルが未知の時点に、デバイスが使用するナローチャンネルであり、ワイドチャンネル通信及びナローチャンネル通信の両方で使用可能である。したがって、非プライマリチャンネルは、残りの複数のナローチャンネルであり、プライマリチャンネルと組み合わせられて、ＩＥが規定するワイドチャンネルを構成する。幾つかの実施形態では、プライマリチャンネルは、単独で又は非プライマリチャンネルと組み合わせて、通信で常に使用されてもよい。プライマリチャンネルは、本明細書の記載範囲外である手段を通じて特定され、予め規定されているものであってもよい。
【００１７】
図示したＩＥの残りの部分は、複数の非プライマリチャンネルを特定する複数のチャンネル番号フィールドであり、それぞれ、規定された１つの特定の非プライマリチャンネルが示されている。ＩＥは、規格クラスを示すフィールドをさらに含んでもよい。図示された例では、各チャンネル番号フィールドに対して、先に示され関連付けられる規格クラスフィールドが存在するが、他の実施形態ではこの限りではない（例えば、１つの規格クラスを、示される全てのナローチャンネルに使用してもよく、この場合、規格クラスを規定するフィールドは、１つでよい）。特に、規格クラスが、ナローチャンネルの帯域幅を規定してもよい。この構成は、全ての利用可能なナローチャンネル間で、ナローチャンネルの帯域幅が異なっている環境下では、特に有用である。図示した例では、ＩＥは、プライマリチャンネルに関する情報を含まない（すでに既知のため）が、他の実施形態では、プライマリチャンネルに関する情報を含んでもよい。他の実施形態では、ＩＥは、ここに示されていないその他の情報を含んでもよい。
【００１８】
図３は、本発明の一実施形態に係る送信の一部を示した図である。説明のため、１つ目の通信では、４番目のプライマリチャンネルと組み合わせてワイドチャンネルで通信可能な３つの非プライマリナローチャンネルが特定されたとする。これら４つの２０ＭＨｚのチャンネルは、４つの行で示されている。単純化のため、これらのナローチャンネルは連続していると仮定しているが、図を理解するためにこの仮定が必ずしも必要であるわけではない。
【００１９】
図３に示すフォーマットは、大きな送信のプリアンブル部分であってもよい。送信の初めの時点では、受信デバイスは、送信デバイスが、どのナローチャンネルを使用する予定か知らない状態である。プリアンブルの受信を確実にするため、送信デバイスは、最初の数フィールドを、４つのナローチャンネル（プライマリチャンネルを含む）それぞれで、並列に送信してもよい。このようにすることにより、受信デバイスがどのナローチャンネルを監視していたとしても、これらのフィールドを正確に受信することができる。また、複数のナローチャンネルのうちの１つが干渉を受けてしまった場合、歪められてしまった場合、又は信号強度が弱められてしまった場合であっても、バックアップ信号を提供することができる。
【００２０】
最初の２つのフィールドは、ショート・トレーニング・フィールド（ＳＴＦ）及びロング・トレーニング・フィールド（ＬＴＦ）であり、受信デバイスが正確に信号を受信し同期するために必要なフィールドである。次の２つのフィールド（ＳＩＧ）は、残りの送信がどのように指示されチャンネルを使用するかに関する情報を提供する。この例では、次に続く信号が、８０ＭＨｚのワイドチャンネルに変調される予定であることが示されている。この新しい８０ＭＨｚワイドチャンネルでも、トレーニングが繰り替えされる。示されたワイドチャンネルが、残りのパケット、フレーム、又はその他の通信に適用される単位についても引き続き使用されてもよい。図示されたフィールドで使用されている接頭文字のＬはレガシープロトコルを、ＶＨＴは、高スループット（Ｖｅｒｙ  Ｈｉｇｈ  Ｔｈｒｏｕｇｈｐｕｔ）プロトコルを表しており、両方のプロトコルにより、古いレガシーデバイス及び新しい高速大量処理が可能なデバイスの両方に対応可能としている。しかしながら、システムの能力に応じて、図示されたプロコルとは異なるプロトコルが使用される場合もある。
【００２１】
図４は、本発明の他の実施形態に係る送信の一部を示した図である。図３と図４の最も大きな違いは、送信デバイスが、割り当てられた４つのナローチャンネルのうち、２つのみを使用することを選択した点であり、この２つのナローチャンネルで通信を行う４０ＭＨｚのワイドチャンネルを形成している。ここでは、プライマリチャンネル"Ｐ"（この例では、２番目のナローチャンネル）が、使用すると選択された２つのナローチャンネルに含まれている。
【００２２】
図５Ａ及び図５Ｂは、本発明の一実施形態に係る、割り当てられたナローチャンネルのうちの何れが、現在の送信に使用されるかを示すビットマップのフォーマットを示している。幾つかの実施形態では、ビットマップは、プリアンブルのＶＨＴ−ＳＩＧフィールド（例えば、図３及び図４に示すような）に位置するが、他の実施形態では、別の場所に位置していてもよい。ＮＣが（例えば、図２に示したＩＥを使用して）、ＭＤがワイドチャンネル送信においてどのナローチャンネルを使用するかを指定した後、ＭＤは、このビットマップフォーマットを使用して、割り当てられた複数のチャンネルのうち、何れを現在の送信に使用するかを指定してもよい。同様に、ＮＣとＭＤが情報を交換し、ＮＣが、予め割り当てられた複数のチャンネルのうち何れを使用して、現在のＭＤへの送信を行うかを指定してもよい。
【００２３】
複数のチャンネルの全てが連続しており、プライマリチャンネルが最も高い（又は最も低い)ナローチャンネルであると分かっている場合には、図５Ａ及び図５Ｂのフォーマットは、どのナローチャンネルが組み合わせられて、ワイドチャンネルを形成するのかを示すコンパクトな方法を提供する。幅２０ＭＨｚのナローチャンネルが示されているが、他のチャンネル幅を使用してもよい。
【００２４】
ネットワークにおける最大のワイドチャンネル幅が８０ＭＨｚである場合には、図５Ａに示すように、送信デバイスによって使用されるチャンネルが２０、４０、６０又は８０ＭＨｚをカバーするか否かを指定するのに必要なビット数は、２つで足りる。このフォーマットでは、連続したチャンネルのみが指定されるので、プライマリチャンネル及び連続した非プライマリチャンネルの数を知るだけで、どのチャンネルかを規定することができる。図５Ｂに示すように、これを１００、１２０、１４０又は１６０ＭＨｚにまで拡張するには、３ビットで十分である。さらなるビットを使用して、同様に、より広いワイドチャンネルに拡張してもよい。
【００２５】
図６は、本発明の一実施形態に係る、割り当てられた複数のナローチャンネルのうちの何れを、現在の送信で使用すべきかを示すビットマップフォーマットの別の例を示した図である。このフォーマットでは、マップにおける各ビットは、特定のナローチャンネルを表す。例えば、ビットが１である場合、関連付けられたチャンネルが選択され、ビットの値が０である場合は、チャンネルが選択されていないことを示す（無論、反対の構成も考えられる）。この例では、２４個のビットが、２４個のナローチャンネルを表しており、各チャンネルには、３６から１６５まで、４刻みの番号が付けられている。このようにチャンネルに番号を付す方法は、業界標準であるＩＥＥＥ８０２．１１の幾つかのバージョンでは、広く知られている。しかしながら、その他のビット番号及び他のチャンネル番号付け方法を、このフォーマットで使用してもよい。連続したチャンネルを必要条件としないことから、このフォーマットは非常に柔軟であり、スペクトルにおける全てのチャンネル（割り当てられていないものも含めて）を表現することができる。しかしながら、ある環境下では、各プリアンブル部において多くのビットを使用することが許容されない場合もある。
【００２６】
図７は、本発明の一実施形態に係る、図６に示したビットマップの変形型を示したものである。図６と図７の違いは、図６では、各ビットが、現在の規格及び業界標準の下で許可されている複数のチャンネルのうちの１つと関連付けられているのに対し、図７では、各ビットは、ＮＣによって予め割り当てられた複数のチャンネルのうちの１つと関連付けられている。例えば、図２に示した割り当てられた複数のチャンネルを使用した場合、図７の第１番目のビットは、図２のＩＥに示されている第１番目のチャンネル（チャンネル４４）と関連付けられる。図７の第２番目のビット及び第３番目のビットは、ＩＥに示されている第２番目のチャンネル及び第３番目のチャンネル（チャンネル１４９とチャンネル１５７）とそれぞれ関連付けられる。このように構成することにより、２４ビットのビットマップを、３ビットのビットマップに低減することができ、プリンブルに占める割合を下げることができ、且つ、割り当てられたチャンネルの最大数を規定することも可能である。図５Ａ及び図５Ｂのフォーマットとは異なり、図７のフォーマットは、複数チャンネルが連続している必要がない。
【００２７】
初期の業界標準では、予め規定されたナローチャンネルが、２０ＭＨｚの幅を有し、これら２０ＭＨｚのチャンネルを組み合わせてオンザフライでワイドチャンネルを構築していた。しかしながら、４０ＭＨｚの幅を有するチャンネルの使用が増え、隣接する２０ＭＨｚチャンネルの特定のペアが、４０ＭＨｚチャンネルとして予め規定されるようになってきた。例えば、４０ＭＨｚチャンネルは、３６／４０、４４／４８、５２／５６、６０／６４、１００／１０４、１０８／１１２、１１６／１２０、１２４／１２８、１３２／１３６、１４９／１５３、１５７／１６１といった、隣接する２つの２０ＭＨｚチャンネルの組み合わせで構成されると、業界標準で予め規定されていてもよい。ある規格クラスでは、ナローチャンネルが４０ＭＨｚの幅を有し、２０ＭＨｚプライマリチャンネルの次に又は前に隣接しているかを規定してもよく、通信自体でこれらの規定を行うのではなく、図２のＩＥを、これらの情報を示すのに使用してもよい。この場合、予め規定される４０ＭＨｚチャンネルそれぞれを、ビットマップにおける１つのビットで特定することが可能である。また、この場合、図５Ａ、５Ｂ、６及び７に示したビットマップを、２０ＭＨｚチャンネルそれぞれを４０ＭＨｚチャンネルで置き換える、及び／又は２０ＭＨｚ帯域幅をそれぞれ４０ＭＨｚ帯域幅で置き換えることで、変更してもよい。
【００２８】
あるネットワーク定義では、利用可能なチャンネルを複数のセグメントに分割し、各セグメントにおける選択されたチャンネルを個別に示してもよい。選択されたナローチャンネルは、２０ＭＨｚ、４０ＭＨｚ又はその他の幅といったように、予め定められた幅を有していてもよい。例えば、予め規定された２０ＭＨｚチャンネル３６、４０、４４及び４８をセグメント１に配置し、チャンネル１４９、１５３、１５７及び１６１をセグメント２に配置してもよい。選択は、（図６及び図７のような）ビット−チャンネル対応関係、又は（図５Ａ及び図５Ｂのような）全ビット値−全バンド幅対応関係で行ってもよい。無論、他の実施形態では、基本的なコンセプトの範囲内において、３つ以上のセグメント、及び／又は１つのセグメントにつき３つ以上のビットを使用してもよい。
【００２９】
図８は、本発明の一実施形態に係る、現在の送信において何れのチャンネルが使用されるべきかを示すビットマップの別のフォーマットを示したものである。この例では、４ビットの入力値のうち、最初の２ビットが、セグメント１に選択されたチャンネルを示し、残りの２ビットが、セグメント２に選択されたチャンネルを示している。図８に示すように、最初の２ビットが、「００」の場合は、プライマリチャンネルのみを選択するようにしてもよく、「１０」のの場合は、セグメント１におけるチャンネルの下位の４０ＭＨｚ（プライマリチャンネルを含む）を選択するようにしてもよく、「１１」の場合は、セグメント１におけるチャンネルの８０ＭＨｚの全てを選択するようにしてもよい。同様に、残りの２ビットが、「００」の場合は、セグメント２におけるチャンネルを全く選択せず、「０１」の場合には、チャンネルの上位の４０ＭＨｚを選択するようにしてもよく、「１０」の場合は、チャンネルの下位の４０ＭＨｚを選択してもよく、「１１」の場合は、セグメント２におけるチャンネルの上位及び下位の４０ＭＨｚの両方を選択して、合計８０ＭＨｚを選択してもよい。この例では、ビットの「１」が、隣接する２つの２０ＭＨｚチャンネルからなる４０ＭＨｚのチャンネルを選択することを表している。
【００３０】
図９は、本発明の一実施形態に係る、図８のビットマップをより詳細に示した図である。この例において、チャンネル３６は、プライマリ２０ＭＨｚチャンネルであり、チャンネル４０、４４及び４８は、セグメント１における非プライマリ２０ＭＨｚチャンネルを表し、チャンネル１４９、１５３、１５７及び１６１は、セグメント２における非プライマリ２０ＭＨｚチャンネルを表している。図８に示したように、ビット「１」の場合は、隣接する２つの２０ＭＨｚチャンネルの組み合わせ（３６／４０、４４／４８、１４９／１５３又は１５７／１６１）で４０ＭＨｚを選択し、「００００」の場合は、２０ＭＨｚプライマリチャンネルのみを選択する。
【００３１】
図１０は、本発明の一実施形態に係る、現在の送信においてどのチャンネルが使用されるべきかを示すビットマップの別のフォーマットを示したものである。上述したビットマップの入力値のほとんどが、次の２つの方法のうちのどちらか一方にしたがって、規定されている。（１）各ビットを、それぞれ特定のナローチャンネルに対応させる。（２）複数ビットの値を、連続したナローチャンネルのグループで構成される集合帯域幅に対応させる。別の方法では、ビットマップにおける複数ビット数の値を、非連続的であってあらゆる帯域幅を有する複数のチャンネルの、予め規定された特定の組み合わせに対応させてもよい。この場合、チャンネル及びチャンネル幅が予め規定されており、ビットマップによって規定する必要がないため、これらの因子の様々な組み合わせを、少ない数のビットの組み合わせによって表現することができる非常に柔軟性に優れた方法である。
【００３２】
図１０は、例を示している。例示された実施形態では、３つの単純なビット値で、チャンネルの８つの異なる組み合わせを表すことができる。これらのチャンネルは、様々な帯域幅を有し、異なるセグメントに配置され、連続又は非連続であってもよい。このような実施形態では、特定のビットと特定のチャンネルとの間の対応関係が予め規定されておらず、特定の値によって利用可能なチャンネルを幾つ表すことができるかという点について本質的な制限が存在しない。
【００３３】
別の例として、各ビットが、予め定められた複数チャンネルの異なる組み合わせを表すようにしてもよく、複数のビット「１」を含む値は、２以上の予め定められた組み合わせからなるより大きな組み合わせを示すことになる。
【００３４】
図１１は、本発明の一実施形態に係る、次の通信のためのチャンネル割り当て及び選択を行う方法を示したフローチャートである。フローチャート１１００には、互いに通信を行うＮＣ及びＭＤ両方の活動が示されている。１１１０において、ＮＣは、次の通信で使用されると考えられる利用可能な複数のナローチャンネルのうち、特定の幾つかを割り当てるための情報を含むメッセージを送信してもよい。幾つかの実施形態では、このメッセージは、ビーコンであってもよいし、プローブ応答又は周辺レポートであってもよく、他の実施形態では異なる形式であってもよい。また、幾つかの実施形態において、この情報は、情報要素（ＩＥ）内に含まれていてもよく、ＩＥは、様々な業界標準（例えば、ＩＥＥＥ８０２．１１）において規定される。
【００３５】
１１１５において、ＭＤがメッセージを受信すると、ＭＤは、次の通信で使用される割り当てられたチャンネルのリストを記録してもよい。ＮＣへの送信準備ができると、１１２０において、ＭＤは送信を構成し、１１２５において、ＭＤが、割り当てられたチャンネルのうちから、この送信に使用するチャンネルを選択する。この選択は、様々な因子に基づいて行うことができるが、ここでは、詳細に記載しない。１１３０において、ＭＤは、この送信に含めるべき要素についてのビットマップを生成し、このビットマップは、送信に選択されたチャンネルを示してもよい。幾つかの実施形態では、ビットマップは、送信のプリアンブル部におけるＳＩＧフィールドに位置していてもよい。１１３５において、ＭＤは、ＮＣにメッセージを送信し、１１４０において、ＮＣがこのメッセージを受信する。
【００３６】
ＮＣが、ＭＤとの通信において、同じ割り当てられたチャンネルのリストを使用すると選択した場合は、ＭＤが１１２０−１１３５で行ったのと同様なプロセスを、ＮＣも１１４５−１１６０において実行する。１１５０において、ＮＣは、ＭＤが１１２５において選択したものと同じ又は異なるチャンネルを選択してもよい。ＮＣが同じリストを選択し続ける限り、１１１５−１１６０において、同じ割り当てられたチャンネルのリストについて、上記の通信プロセスが継続される。しかしながら、ＮＣが、割り当てられたチャンネルのリストを変更することを選択した場合は、１１１０に戻り、好適と考えられるメッセージの形態で情報を含む新たなリストをＭＤに送信する。
【００３７】
ある実施形態では、ＮＣは、ＮＣが次のＭＤへの送信で使用するものとは異なる、割り当てられたチャンネルのリストをＭＤに送信してもよい（すなわち、ＮＣからＭＤへの送信に使用されるリストは、ＭＤからＮＣへの送信で使用されたリストとは異なる）。ある実施形態では、割り当てられたチャンネルのリストを、ピアツーピア通信が許されるような環境においては、ＭＤと別のＭＤとの間の直接通信のために使用してもよい。
【００３８】
上述の説明は、例示することを目的としており、限定することを意図していない。様々な改良が、当業者にとって明らかである。これらの改良も、本発明の様々な実施形態に含まれることを意図しており、本発明の実施形態は、添付の特許請求の範囲によってのみ限定される。
【図１】
2015181273.tif 000003
【図２】
2015181273.tif 000004
【図３】
2015181273.tif 000005
【図４】
2015181273.tif 000006
【図５Ａ】
2015181273.tif 000007
【図５Ｂ】
2015181273.tif 000008
【図６】
2015181273.tif 000009
【図７】
2015181273.tif 000010
【図８】
2015181273.tif 000011
【図９】
2015181273.tif 000012
【図１０】
2015181273.tif 000013
【図１１】
2015181273.tif 000014
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
プロセッサ、メモリ、及び少なくとも１つの受信機と少なくとも１つの送信機とを含む無線機を有する第１無線通信デバイスを備え、
前記第１無線通信デバイスは、
前記少なくとも１つの受信機を介して、第２無線通信デバイスから、通信のデータ部分の帯域幅を規定する情報を含む通信を受信し、
前記帯域幅は複数の２０ＭＨｚチャンネルから構成され、複数の２０ＭＨｚチャンネルは、プライマリチャンネル及び２以上のセカンダリチャンネルを含み、
通信において、前記プライマリチャンネルは、自身により又は１以上の前記セカンダリチャンネルと共に組み合わされることにより用いられ、
前記プライマリチャンネル及び２以上の前記セカンダリチャンネルの数の合計は、前記通信のプリアンブル中のＳＩＧフィールド中の複数ビットを含むビットマップにおいて示される、
装置。
【請求項２】
通信のデータ部分の帯域幅を規定する情報を含む無線通信を受信し、前記帯域幅は複数の２０ＭＨｚチャンネルから構成され、複数の２０ＭＨｚチャンネルは、プライマリチャンネル及び２以上のセカンダリチャンネルを含み、
通信において、前記プライマリチャンネルは、自身により又は１以上の前記セカンダリチャンネルと共に組み合わされることにより用いられ、
前記プライマリチャンネル及び２以上の前記セカンダリチャンネルの数の合計は、前記通信のプリアンブル中のＳＩＧフィールド中の複数ビットを含むビットマップにおいて示される、
方法。
【請求項３】
コンピュータ可読不揮発記憶媒体であって、１以上のプロセサにより実行されると、
通信のデータ部分の帯域幅を規定する情報を含む無線通信を受信することを含むオペレーションを実行する命令を有し、
前記帯域幅は複数の２０ＭＨｚチャンネルから構成され、複数の２０ＭＨｚチャンネルは、プライマリチャンネル及び２以上のセカンダリチャンネルを含み、
通信において、前記プライマリチャンネルは、自身により又は１以上の前記セカンダリチャンネルと共に組み合わされることにより用いられ、
前記プライマリチャンネル及び２以上の前記セカンダリチャンネルの数の合計は、前記通信のプリアンブル中のＳＩＧフィールド中の複数ビットを含むビットマップにおいて示される、
コンピュータ可読不揮発記憶媒体。
【請求項４】
プロセッサ、メモリ、及び少なくとも１つの受信機と少なくとも１つの送信機とを含む無線機を有する第１無線通信デバイスを備え、
前記第１無線通信デバイスは、
前記少なくとも１つの送信機を介して、第２無線通信デバイスへ、通信のデータ部分の帯域幅を規定する情報を含む通信を送信し、前記帯域幅は複数の２０ＭＨｚチャンネルから構成され、複数の２０ＭＨｚチャンネルは、プライマリチャンネル及び２以上のセカンダリチャンネルを含み、
通信において、前記プライマリチャンネルは、自身により又は１以上の前記セカンダリチャンネルと共に組み合わされることにより用いられ、
前記プライマリチャンネル及び２以上の前記セカンダリチャンネルの数の合計は、前記通信のプリアンブル中のＳＩＧフィールド中の複数ビットを含むビットマップにおいて示される、
装置。
【請求項５】
通信のデータ部分の帯域幅を規定する情報を含む無線通信を送信し、前記帯域幅は複数の２０ＭＨｚチャンネルから構成され、複数の２０ＭＨｚチャンネルは、プライマリチャンネル及び２以上のセカンダリチャンネルを含み、
通信において、前記プライマリチャンネルは、自身により又は１以上の前記セカンダリチャンネルと共に組み合わされることにより用いられ、
前記プライマリチャンネル及び２以上の前記セカンダリチャンネルの数の合計は、前記通信のプリアンブル中のＳＩＧフィールド中の複数ビットを含むビットマップにおいて示される、
方法。
【請求項６】
コンピュータ可読不揮発記憶媒体であって、１以上のプロセサにより実行されると、
通信のデータ部分の帯域幅を規定する情報を含む無線通信を送信することを含むオペレーションを実行する命令を有し、
前記帯域幅は複数の２０ＭＨｚチャンネルから構成され、複数の２０ＭＨｚチャンネルは、プライマリチャンネル及び２以上のセカンダリチャンネルを含み、
通信において、前記プライマリチャンネルは、自身により又は１以上の前記セカンダリチャンネルと共に組み合わされることにより用いられ、
前記プライマリチャンネル及び２以上の前記セカンダリチャンネルの数の合計は、前記通信のプリアンブル中のＳＩＧフィールド中の複数ビットを含むビットマップにおいて示される、
コンピュータ可読不揮発記憶媒体。
【手続補正３】
【補正対象書類名】明細書
【補正対象項目名】００３８
【補正方法】変更
【補正の内容】
【００３８】
上述の説明は、例示することを目的としており、限定することを意図していない。様々な改良が、当業者にとって明らかである。これらの改良も、本発明の様々な実施形態に含まれることを意図しており、本発明の実施形態は、添付の特許請求の範囲によってのみ限定される。ここで、本発明の実施形態を項目として例示する。
［項目１］
プロセッサ、メモリ、及び少なくとも１つの受信機と少なくとも１つの送信機とを含む無線機を有する第１無線通信デバイスを備え、
第１無線通信デバイスは、
少なくとも１つの受信機を介して、第２無線通信デバイスから、第１無線通信デバイスが次の送信で使用可能な割り当てられた複数のチャンネルを規定する情報を含む第１通信を受信し、
割り当てられた複数のチャンネルのから、第１送信のために、特定の複数のチャンネルを選択し、
選択された複数のチャンネルをビットマップで示し、
少なくとも１つの送信機を介して、第１送信でビットマップを送信する装置。
［項目２］
第１送信のプリアンブル部分を、割り当てられた複数のチャンネルの全てで送信し、第１送信の本体は、選択された複数のチャンネルでのみ送信する項目１に記載の装置。
［項目３］
選択された複数のチャンネルは、連続した複数のチャンネルであって、ビットマップは、選択されたチャンネルの数を示す項目１に記載の装置。
［項目４］
ビットマップは、割り当てられた複数のチャンネルのそれぞれと関連付けられた別個のビットを有し、ビットのそれぞれのステートは、関連付けられた割り当てられたチャンネルが、選択されたチャンネルであるかを示す項目１に記載の装置。
［項目５］
ビットマップにおける複数ビットの集合からなる組み合わせのそれぞれは、選択された複数のチャンネルの予め定められた組み合わせを示す項目１に記載の装置。
［項目６］
ビットマップは、第１送信のプリアンブル部分に含まれる項目１に記載の装置。
［項目７］
情報は、第１通信における情報要素に含まれる項目１に記載の装置。
［項目８］
情報要素は、規格クラスを規定する少なくとも１つのフィールドを含む項目７に記載の装置。
［項目９］
情報要素は、チャンネル番号をそれぞれ規定する複数のチャンネル番号フィールド、及び規格クラスをそれぞれ規定する複数の規格クラスフィールドを含み、複数の規格クラスフィールドの各々は、特定の１つのチャンネル番号フィールドと関連付けられている項目７に記載の装置。
［項目１０］
第１無線通信デバイスにより、第２無線通信デバイスから、次の送信において第１無線通信デバイスが使用可能な割り当てられた複数のチャンネルを規定する情報を含む第１通信を受信する段階と、
割り当てられた複数のチャンネルから、第１送信のために、特定の複数のチャンネルを選択する段階と、
選択された複数のチャンネルを、ビットマップで示す段階と、
第１送信でビットマップを送信する段階とを備える方法。
［項目１１］
情報は、第１通信における情報要素に含まれる項目１０に記載の方法。
［項目１２］
情報要素は、チャンネル番号をそれぞれ規定する複数のチャンネル番号フィールド、及び規格クラスをそれぞれ規定する複数の規格クラスフィールドを含み、複数の規格クラスフィールドの各々は、特定の１つのチャンネル番号フィールドと関連付けられている項目１１に記載の方法。
［項目１３］
第１送信のプリアンブル部分は、割り当てられた複数のチャンネルの全てで送信され、第１送信の本体は、割り当てられた複数のチャンネルのうちの特定の複数のチャンネルでのみ送信される項目１０に記載の方法。
［項目１４］
選択された複数のチャンネルは、連続した複数のチャンネルであって、ビットマップは、選択されたチャンネルの数を示す項目１０に記載の方法。
［項目１５］
ビットマップは、割り当てられた複数のチャンネルのそれぞれと関連付けられた別個のビットを有し、ビットのそれぞれのステートは、関連付けられた割り当てられたチャンネルが、選択されたチャンネルであるかを示す項目１０に記載の方法。
［項目１６］
ビットマップにおける複数ビットの集合からなる組み合わせのそれぞれは、選択された複数のチャンネルの予め定められた組み合わせを示す項目１０に記載の方法。
［項目１７］
ビットマップは、第１送信のプリアンブル部分に含まれる項目１０に記載の方法。
［項目１８］
命令を含む有形のコンピュータ可読記憶媒体を備える物品であって、命令が１以上のプロセッサによって実行された場合に、
第１無線通信デバイスにより、第２無線通信デバイスから、次の送信において第１無線通信デバイスが使用可能な割り当てられた複数のチャンネルを規定する情報を含む第１通信を受信し、
割り当てられた複数のチャンネルから、第１送信のために、特定の複数のチャンネルを選択し、
選択された複数のチャンネルを、ビットマップで示し、及び、
第１送信でビットマップを送信するオペレーションが実行される物品。
［項目１９］
情報は、第１通信における情報要素に含まれる項目１８に記載の物品。
［項目２０］
情報要素は、規格クラスを規定する少なくとも１つのフィールドを含む項目１９に記載の物品。
［項目２１］
情報要素は、チャンネル番号をそれぞれ規定する複数のチャンネル番号フィールド、及び規格クラスをそれぞれ規定する複数の規格クラスフィールドを含み、複数の規格クラスフィールドの各々は、特定の１つのチャンネル番号フィールドと関連付けられている項目１９に記載の物品。
［項目２２］
選択された複数のチャンネルは、連続した複数のチャンネルであって、ビットマップは、選択されたチャンネルの数を示す項目１８に記載の物品。
［項目２３］
ビットマップは、割り当てられた複数のチャンネルのそれぞれと関連付けられた別個のビットを有し、ビットのそれぞれのステートは、関連付けられた割り当てられたチャンネルが、選択されたチャンネルであるかを示す項目１８に記載の物品。
［項目２４］
ビットマップにおける複数ビットの集合からなる組み合わせのそれぞれは、選択された複数のチャンネルの予め定められた組み合わせを示す項目１８に記載の物品。
［項目２５］
第１送信を送信するオペレーションは、ビットマップを第１送信のプリアンブル部分で送信する段階を含む項目１８に記載の物品。
【外国語明細書】
2015181273000001.pdf